(57)【要約】【課題】使用中に照明が消えてしまうことを抑制できる洗面化粧台を提供する。【解決手段】洗面化粧台であって、水を吐出する吐水部と、吐水部からの水を受けるボウル部と、吐水部の近傍及びボウル部の少なくともいずれかを照らす照明部と、吐水部の近くにある被検知物を検知するセンサと、センサが検知状態から非検知状態になると非検知時間の測定を開始する非検知時間測定部と、センサからの検知信号に基づいて、照明部の点灯及び消灯を切り替える制御部と、を備え、制御部は、センサが検知状態になると、照明部を点灯させ、非検知時間が所定時間を超えると、照明部を消灯させ、非検知時間が所定時間を超える前に、センサが検知状態になると、非検知時間をリセットすることを特徴とする洗面化粧台。【選択図】図４
2020007825.tif 000002
【特許請求の範囲】
【請求項１】
洗面化粧台であって、
水を吐出する吐水部と、
前記吐水部からの水を受けるボウル部と、
前記吐水部の近傍及び前記ボウル部の少なくともいずれかを照らす照明部と、
前記吐水部の近くにある被検知物を検知するセンサと、
前記センサが検知状態から非検知状態になると非検知時間の測定を開始する非検知時間測定部と、
前記センサからの検知信号に基づいて、前記照明部の点灯及び消灯を切り替える制御部と、
を備え、
前記制御部は、
前記センサが前記検知状態になると、前記照明部を点灯させ、
前記非検知時間が所定時間を超えると、前記照明部を消灯させ、
前記非検知時間が前記所定時間を超える前に、前記センサが検知状態になると、前記非検知時間をリセットすることを特徴とする洗面化粧台。
【請求項２】
前記制御部は、前記非検知時間が前記所定時間を超えるまでに前記センサが検知状態になった検知回数に応じて、前記所定時間の後に、前記照明部を消灯するまでの延長時間を付与することを特徴とする請求項１記載の洗面化粧台。
【請求項３】
前記制御部は、前記検知回数が所定回数を超えると、前記延長時間を所定の最長時間にすること特徴とする請求項２記載の洗面化粧台。
【請求項４】
洗面化粧台であって、
水を吐出する吐水部と、
前記吐水部からの水を受けるボウル部と、
前記吐水部の近傍及び前記ボウル部の少なくともいずれかを照らす照明部と、
前記吐水部の近くにある被検知物を検知するセンサと、
前記センサが検知状態になると検知時間の測定を開始し、前記センサが前記検知状態から非検知状態になると非検知時間の測定を開始する検知時間測定部と、
前記センサからの検知信号に基づいて、前記照明部の点灯及び消灯を切り替える制御部と、
を備え、
前記制御部は、
前記センサが前記検知状態になると、前記吐水部からの吐水を開始させるとともに、前記照明部を点灯させ、
前記センサが前記検知状態から前記非検知状態になると、前記吐水を停止させ、
前記非検知時間が所定時間を超えると、前記照明部を消灯させ、
前記検知時間の長さに応じて、前記センサが前記検知状態から前記非検知状態になった後に前記照明部を消灯させるまでの時間の長さを変更することを特徴とする洗面化粧台。
【請求項５】
前記検知信号の変化度を演算する変化度演算部をさらに備え、
前記制御部は、
前記検知状態と前記非検知状態とを判定するための第１閾値と、
前記変化度を判定するための第２閾値と、
を有し、
前記検知信号が前記第１閾値以上になると、前記照明部を点灯させ、
前記非検知時間が前記所定時間を超える前に、前記変化度が前記第２閾値以上になると、前記非検知時間をリセットすることを特徴とする請求項１〜４のいずれか１つに記載の洗面化粧台。
【発明の詳細な説明】
【技術分野】
【０００１】
本発明の態様は、一般的に、洗面化粧台に関する。
【背景技術】
【０００２】
洗面化粧台において、夜間など周囲が暗い環境において、吐水部近傍やボウル部が視認しやすいように、それらを照らす照明部（以下、手元照明という）を取り付けたものが知られている。
【０００３】
この手元照明の制御として、センサが人体を検知した際に、点灯するような制御を採用すると、この手元照明は、センサが吐水部近傍の手などの被検知物を検知した際に点灯するため、夜間においても吐水部からの吐水などが見えやすく洗面化粧台の使い勝手がよい。
【０００４】
また、センサが非検知状態となってから所定時間（オフディレイ時間）経過後に手元照明を消灯させることで、使用者が手などをボウル部内に頻繁に出し入れする際に、照明部の点灯及び消灯が頻繁に起こって使用者に不快感を与えることを抑制できる。
【先行技術文献】
【特許文献】
【０００５】
【特許文献１】特開２００３−１８４１３９号公報
【発明の概要】
【発明が解決しようとする課題】
【０００６】
洗面化粧台で行う行為としては、手洗い行為が最も多い。手洗いの場合、照明部の点灯時間は比較的短くてもよいため、オフディレイ時間は、通常、数秒〜数十秒に設定されている。一方、洗面化粧台で行う行為には、通常の手洗い以外にも洗濯など比較的時間が長い（例えば、１５分程度の）ものがある。例えば、洗濯を行う場合、使用者は、吐水部近傍での動作（例えば、すすぎなど）と吐水部近傍以外でのボウル内での動作（例えば、もみ洗いなど）とを繰り返し行う。そのため、センサは、検知状態と非検知状態とを繰り返す。
【０００７】
しかし、通常、オフディレイ時間の経過前に、センサが検知状態になっても、非検知時間のカウントは、継続されるようになっている。そのため、例えば、使用者が洗面化粧台にて洗濯などを行うと、センサが検知状態と非検知状態とを繰り返しても非検知時間のカウントが継続され、所定時間が経過すると使用者が洗濯中にも関わらず手元照明が消えてしまい、使い勝手が悪いという問題がある。
【０００８】
本発明は、かかる課題の認識に基づいてなされたものであり、使用中に照明が消えてしまうことを抑制できる洗面化粧台を提供することを目的とする。
【課題を解決するための手段】
【０００９】
第１の発明は、洗面化粧台であって、水を吐出する吐水部と、前記吐水部からの水を受けるボウル部と、前記吐水部の近傍及び前記ボウル部の少なくともいずれかを照らす照明部と、前記吐水部の近くにある被検知物を検知するセンサと、前記センサが検知状態から非検知状態になると非検知時間の測定を開始する非検知時間測定部と、前記センサからの検知信号に基づいて、前記照明部の点灯及び消灯を切り替える制御部と、を備え、前記制御部は、前記センサが前記検知状態になると、前記照明部を点灯させ、前記非検知時間が所定時間を超えると、前記照明部を消灯させ、前記非検知時間が前記所定時間を超える前に、前記センサが検知状態になると、前記非検知時間をリセットすることを特徴とする洗面化粧台である。
【００１０】
この洗面化粧台によれば、非検知時間が所定時間を超える前に、センサが検知状態になると、非検知時間がリセットされる。そのため、例えば、洗濯行為中など、吐水部を頻繁に使用しない場合にも、洗面化粧台の使用中に照明が消えてしまうことを抑制でき、使い勝手がよい。また、この洗面化粧台によれば、使用者が手などの被検知物をボウル部内に頻繁に出し入れする際に、吐水部からの吐水に合わせて、照明部が点灯及び消灯することを抑制できる。したがって、照明部の頻繁な点灯及び消灯によって使用者に不快感を与えることを抑制できる。
【００１１】
第２の発明は、第１の発明において、前記制御部は、前記非検知時間が前記所定時間を超えるまでに前記センサが検知状態になった検知回数に応じて、前記所定時間の後に、前記照明部を消灯するまでの延長時間を付与することを特徴とする洗面化粧台である。
【００１２】
この洗面化粧台によれば、検知回数に応じて、所定時間の後に、照明部を消灯するまでの延長時間を付与することで、使用中に照明が消えてしまうことをより効果的に抑制でき、使い勝手がよい。
【００１３】
第３の発明は、第２の発明において、前記制御部は、前記検知回数が所定回数を超えると、前記延長時間を所定の最長時間にすること特徴とする洗面化粧台である。
【００１４】
この洗面化粧台によれば、検知回数が多くなっても、延長時間が所定の最長時間よりも長くならないようにすることで、洗濯行為などが終わった後に無駄に照明部の点灯を継続することを抑制できる。
【００１５】
第４の発明は、洗面化粧台であって、水を吐出する吐水部と、前記吐水部からの水を受けるボウル部と、前記吐水部の近傍及び前記ボウル部の少なくともいずれかを照らす照明部と、前記吐水部の近くにある被検知物を検知するセンサと、前記センサが検知状態になると検知時間の測定を開始し、前記センサが前記検知状態から非検知状態になると非検知時間の測定を開始する検知時間測定部と、前記センサからの検知信号に基づいて、前記照明部の点灯及び消灯を切り替える制御部と、を備え、前記制御部は、前記センサが前記検知状態になると、前記吐水部からの吐水を開始させるとともに、前記照明部を点灯させ、前記センサが前記検知状態から前記非検知状態になると、前記吐水を停止させ、前記非検知時間が所定時間を超えると、前記照明部を消灯させ、前記検知時間の長さに応じて、前記センサが前記検知状態から前記非検知状態になった後に前記照明部を消灯させるまでの時間の長さを変更することを特徴とする洗面化粧台である。
【００１６】
この洗面化粧台によれば、検知時間の長さに応じて、センサが検知状態から非検知状態になった後に照明部を消灯させるまでの時間の長さが変更される。そのため、例えば、洗濯行為中など、吐水部を頻繁に使用しない場合にも、洗面化粧台の使用中に照明が消えてしまうことを抑制でき、使い勝手がよい。また、この洗面化粧台によれば、使用者が手などの被検知物をボウル部内に頻繁に出し入れする際に、吐水部からの吐水に合わせて、照明部が点灯及び消灯することを抑制できる。したがって、照明部の頻繁な点灯及び消灯によって使用者に不快感を与えることを抑制できる。
【００１７】
第５の発明は、第１〜第４のいずれか１つの発明において、前記検知信号の変化度を演算する変化度演算部をさらに備え、前記制御部は、前記検知状態と前記非検知状態とを判定するための第１閾値と、前記変化度を判定するための第２閾値と、を有し、前記検知信号が前記第１閾値以上になると、前記照明部を点灯させ、前記非検知時間が前記所定時間を超える前に、前記変化度が前記第２閾値以上になると、前記非検知時間をリセットすることを特徴とする洗面化粧台である。
【００１８】
この洗面化粧台によれば、非検知時間が所定時間を超える前に、検知信号の変化度が第２閾値以上になると、非検知時間がリセットされる。これにより、例えば、もみ洗い動作中などの、センサが検知状態になりにくい作業中であっても、照明が消えてしまうことを抑制でき、さらに使い勝手がよい。
【発明の効果】
【００１９】
本発明の態様によれば、使用中に照明が消えてしまうことを抑制できる洗面化粧台が提供される。
【図面の簡単な説明】
【００２０】
【図１】実施形態に係る洗面化粧台を模式的に表す斜視図である。
【図２】図２（ａ）及び図２（ｂ）は、実施形態に係る洗面化粧台の水栓装置を模式的に表す斜視図及び正面図である。
【図３】実施形態に係る洗面化粧台の一部を模式的に表す回路図である。
【図４】第１実施形態に係る洗面化粧台の動作の一例を表すフローチャートである。
【図５】第１実施形態に係る洗面化粧台の動作の一例を表すタイミングチャートである。
【図６】第１実施形態に係る洗面化粧台の動作の別の一例を表すフローチャートである。
【図７】第１実施形態に係る洗面化粧台の動作の別の一例を表すタイミングチャートである。
【図８】第１実施形態に係る洗面化粧台の動作のさらに別の一例を表すフローチャートである。
【図９】第１実施形態に係る洗面化粧台の動作のさらに別の一例を表すタイミングチャートである。
【図１０】第２実施形態に係る洗面化粧台の動作の一例を表すフローチャートである。
【図１１】第２実施形態に係る洗面化粧台の動作の一例を表すタイミングチャートである。
【発明を実施するための形態】
【００２１】
以下、本発明の実施形態について図面を参照しつつ説明する。なお、各図面中、同様の構成要素には同一の符号を付して詳細な説明は適宜省略する。  
図１は、実施形態に係る洗面化粧台を模式的に表す斜視図である。  
図１に表したように、洗面化粧台１００は、洗面器１０２と、水栓装置１０と、支持台１０６と、ミラーキャビネット１０８と、照明装置１１０と、を備える。
【００２２】
なお、本願明細書では、洗面化粧台１００と向き合う使用者からみて手前側を「前方」とし、奥側を「後方」とし、上側を「上方」とし、下側を「下方」とし、右側を「右側方」とし、左側を「左側方」とする。
【００２３】
洗面器１０２は、ボウル部１２２と、バックガード部１２４と、を有する。ボウル部１２２は、下方に向かって凹んだ凹状に形成されている。ボウル部１２２は、吐水部２０からの水を受ける。ボウル部１２２は、排水口（不図示）を有する。排水口は、ボウル部１２２の底部に設けられる。排水口は、排水管に接続され、ボウル部１２２に吐出された水を排水管に流す。
【００２４】
バックガード部１２４は、ボウル部１２２の後端から上方に延びる。バックガード部１２４は、必要に応じて設けられ、省略可能である。洗面器１０２の形状は、少なくともボウル部１２２を有する任意の形状でよい。
【００２５】
洗面器１０２は、支持台１０６の上に設けられる。支持台１０６は、洗面器１０２を支持する。支持台１０６は、例えば、本体部１０６ａと、２つの引き出し１０６ｂ、１０６ｃと、を有する。各引き出し１０６ｂ、１０６ｃは、内部に物品を収納可能とする。
【００２６】
このように、支持台１０６は、物品を収納可能なキャビネットとしても機能する。支持台１０６は、換言すれば、下部キャビネット（フロアキャビネット）である。なお、引き出しの数は、２つに限ることなく、１つでもよいし、３つ以上でもよい。また、支持台１０６は、引き出し式のキャビネットに限ることなく、扉式のキャビネットでもよい。
【００２７】
支持台１０６は、必ずしも収納機能を有していなくてもよい。支持台１０６は、洗面器１０２を支持可能な任意の構成でよい。また、洗面器１０２は、例えば、洗面所などの壁面に直接取り付けてもよい。すなわち、支持台１０６は、必要に応じて設けられ、省略可能である。
【００２８】
水栓装置１０は、ボウル部１２２よりも上方に延びる壁面ＷＳに設けられる。水栓装置１０は、例えば、洗面器１０２のバックガード部１２４に取り付けられ、ボウル部１２２の上方に配置される。これにより、水栓装置１０は、洗面器１０２のボウル部１２２に向けて水を吐出する。本願明細書において、「前方」は、換言すれば、壁面ＷＳの向く方向である。また、本願明細書において、「水」には、冷水のみならず、加温されたお湯が含まれる。
【００２９】
水栓装置１０の取付位置は、上記に限ることなく、例えば、洗面器１０２の後部上方に設けられる取付パネル（バックパネル）などに取り付けてもよいし、洗面所などの壁面に直接取り付けてもよい。水栓装置１０の取付位置は、ボウル部１２２内に水を吐出可能な任意の位置でよい。水栓装置１０の取付位置は、ボウル部１２２よりも上方に延びる任意の壁面ＷＳでよい。水栓装置１０の取付位置は、洗面器１０２の形状などに応じて適宜設定すればよい。
【００３０】
ミラーキャビネット１０８は、ボウル部１２２を有する洗面器１０２よりも上方に設置される。ミラーキャビネット１０８は、キャビネット本体１３０と、３枚の扉１３１〜１３３と、を有する。キャビネット本体１３０は、前方を開口させた略直方体の開口箱状であり、内部に物品を収納可能とする。また、各扉１３１〜１３３の前面には、鏡１３１ａ〜１３３ａが設けられている。なお、ミラーキャビネット１０８に設けられる扉及び鏡の数は、３枚に限ることなく、１枚又は２枚でもよいし、４枚以上でもよい。
【００３１】
照明装置１１０は、ミラーキャビネット１０８の上部に設けられている。照明装置１１０は、例えば、ミラーキャビネット１０８において各扉１３１〜１３３よりも上方に設けられる。照明装置１１０は、下方に向かって光を照射し、各扉１３１〜１３３（各鏡１３１ａ〜１３３ａ）、及びボウル部１２２を照らす。照明装置１１０は、ミラーキャビネット１０８の上部に限ることなく、ミラーキャビネット１０８の下部や側端部、内部に設けてもよい。
【００３２】
図２（ａ）図２（ｂ）は、実施形態に係る洗面化粧台の水栓装置を模式的に表す斜視図及び正面図である。  
図２（ａ）及び図２（ｂ）に表したように、水栓装置１０は、吐水部２０と、本体部３０と、照明部４０と、操作部５０と、センサ６０と、を備える。
【００３３】
吐水部２０は、ボウル部１２２へ水を吐出する。吐水部２０は、いわゆるスパウトである。吐水部２０には、水を吐出する吐水口２２が設けられている。操作部５０は、吐水部２０から吐出される水の流量を調整する。また、操作部５０は、吐水部２０から吐出される水の温度を調整する。
【００３４】
操作部５０は、操作レバー５０ａを有する。操作部５０は、使用者による操作レバー５０ａの操作に応じて、吐水部２０から吐出される水の流量及び温度を調整する。操作レバー５０ａは、例えば、前後方向及び左右方向に揺動可能に上端部を操作部５０の本体部分に軸支される。例えば、操作レバー５０ａを前後方向に揺動させることにより、吐水部２０から吐出される水の流量が調整され、操作レバー５０ａを左右方向に揺動させることにより、吐水部２０から吐出される水の温度が調整される。操作部５０における流量及び温度の調整の態様は、操作レバー５０ａに限ることなく、流量及び温度を調整可能な任意の態様でよい。
【００３５】
吐水部２０は、湯水混合部などを介して給水管及び給湯管などに接続される。吐水部２０から吐出される水は、例えば、上水（水道水）である。吐水部２０から吐出される水の温度調整は、操作部５０とは別の調整部で行ってもよい。操作部５０は、少なくとも吐水部２０から吐出される水の流量を調整できればよい。
【００３６】
本体部３０は、壁面ＷＳから前方に突出するように設けられる。吐水部２０及び操作部５０は、本体部３０の下部に設けられる。吐水部２０は、本体部３０の下方に向けて水を吐出する。操作部５０の操作レバー５０ａは、本体部３０から下方に向かって延びる。本体部３０は、吐水部２０及び操作部５０の上方を覆う。本体部３０の上面は、略水平に設けられており、物品を載置可能である。つまり、本体部３０は、物品を載置する棚として使用することができる。このように、水栓装置１０は、いわゆる棚水栓であってもよい。
【００３７】
吐水部２０、本体部３０、及び操作部５０は、例えば、それぞれ個別に壁面ＷＳ（バックガード部１２４の前面）に取り付けられる。これにより、例えば、メンテナンスの際などに、吐水部２０及び操作部５０を壁面ＷＳに取り付けた状態のまま、本体部３０のみを壁面ＷＳから取り外すことができ、水栓装置１０のメンテナンス性を向上させることができる。但し、吐水部２０及び操作部５０は、本体部３０に取り付け、本体部３０を介して壁面ＷＳに取り付けてもよい。
【００３８】
吐水部２０は、壁面ＷＳから引き出して使用することができる、いわゆるプルアウト機能を有していてもよい。換言すれば、吐水部２０は、本体部３０からプルアウト可能であってもよい。これにより、吐水部２０をハンドシャワーとして用いることができ、ボウル部１２２の清掃などを行うことができる。なお、この場合、吐水部２０は、壁面ＷＳに保持されていてもよいし、本体部３０に保持されていてもよい。
【００３９】
照明部４０は、吐水部２０の近傍及びボウル部１２２の少なくともいずれかを照らす。照明部４０は、例えば、水栓装置１０に設けられた手元照明である。照明部４０は、例えば、吐水部２０の近傍に設けられる。この例では、照明部４０は、本体部３０の下部に設けられており、下方に位置するボウル部１２２に向けて光を照射する。また、この例では、照明部４０は、吐水部２０の横に位置する。照明部４０は、例えば、ＬＥＤなどの光源を有する。
【００４０】
センサ６０は、吐水部２０の近くにある被検知物を検知する。センサ６０は、例えば、吐水部２０の近くにある使用者の手などを検知する。センサ６０は、例えば、投光部と受光部とを有する光電センサである。センサ６０は、例えば、吐水部２０の近傍に設けられる。この例では、センサ６０は、本体部３０の前方下部に設けられている。センサ６０は、例えば、吐水部２０の前方に位置する。
【００４１】
図３は、実施形態に係る洗面化粧台の一部を模式的に表す回路図である。  
図３に表したように、洗面化粧台１００は、制御部７０と、非検知時間測定部８０と、変化度演算部９０と、をさらに備える。
【００４２】
制御部７０は、例えば、水栓装置１０に設けられる。制御部７０は、例えば、本体部３０の内部に設けられる。制御部７０は、照明部４０、センサ６０、非検知時間測定部８０、及び変化度演算部９０と接続されている。制御部７０は、センサ６０からの検知信号に基づいて、照明部４０を制御する。より具体的には、制御部７０は、センサ６０からの検知信号に基づいて、照明部４０の点灯及び消灯を切り替える。
【００４３】
制御部７０は、照明部４０以外を制御してもよい。制御部７０は、例えば、センサ６０からの検知信号に基づいて、給水源と吐水部２０との間に設けられる開閉弁の開閉を制御してもよい。これにより、制御部７０は、センサ６０からの検知信号に基づいて、吐水部２０の吐水及び止水を行う、いわゆる自動吐水を行うことができる。このように、水栓装置１０は自動吐水を行う水栓装置であってもよい。また、制御部７０は、センサ６０を制御してもよい。
【００４４】
非検知時間測定部８０は、例えば、水栓装置１０に設けられる。非検知時間測定部８０は、例えば、本体部３０の内部に設けられる。非検知時間測定部８０は、センサ６０が非検知状態の時間である非検知時間ＮＴを測定する。非検知時間測定部８０は、センサ６０が検知状態から非検知状態になると、非検知時間ＮＴの測定を開始する。例えば、非検知時間測定部８０が制御部７０の外部に設けられる場合、測定された非検知時間ＮＴは、制御部７０に出力される。なお、非検知時間測定部８０は、制御部７０に設けられてもよい。換言すれば、非検知時間測定部８０と制御部７０とは、ひとつの部品であってもよい。
【００４５】
非検知時間測定部８０は、非検知時間ＮＴに加えて、センサ６０が検知状態の時間である検知時間ＤＴを測定可能であってもよい。この場合、非検知時間測定部８０は、例えば、センサ６０が検知状態になると、検知時間ＤＴの測定を開始する。また、後述のように、非検知時間測定部８０の代わりに検知時間測定部８５が設けられていてもよい。
【００４６】
変化度演算部９０は、例えば、水栓装置１０に設けられる。変化度演算部９０は、例えば、本体部３０の内部に設けられる。変化度演算部９０は、センサ６０からの検知信号の変化度を演算する。例えば、変化度演算部９０が制御部７０の外部に設けられる場合、算出された変化度は、制御部７０に出力される。なお、変化度演算部９０は、制御部７０に設けられてもよい。換言すれば、変化度演算部９０と制御部７０とは、ひとつの部品であってもよい。
【００４７】
変化度は、例えば、検知信号のばらつきである。変化度は、例えば、検知信号の標準偏差で表される。より具体的には、変化度は、例えば、過去８回の検知信号の標準偏差で表される。変化度は、例えば、検知信号の微分係数であってもよい。例えば、センサ６０の検知可能な範囲にある使用者の手などの被検知物が動いている場合、変化度は大きい。一方、例えば、センサ６０の検知可能な範囲に被検知物がない場合や、センサ６０の検知可能な範囲にある被検知物が動いていない場合、変化度は小さい。つまり、検知信号が小さい場合であっても、変化度が大きい場合には、被検知物が動いているとみなすことができる。
【００４８】
図４は、第１実施形態に係る洗面化粧台の動作の一例を表すフローチャートである。  
図４に表したように、センサ６０が検知状態になると（ステップＳ１０１）、制御部７０は、照明部４０を点灯させる（ステップＳ１０２）。センサ６０が検知状態から非検知状態になると（ステップＳ１０３）、非検知時間測定部８０は、非検知時間ＮＴの測定を開始する（ステップＳ１０４）。
【００４９】
非検知時間ＮＴが所定時間ＰＴを超える前に、センサ６０が検知状態になると（ステップＳ１０５：Ｎｏ）、制御部７０は、非検知時間ＮＴをリセットする（ステップＳ１０６）。非検知時間ＮＴがリセットされ、センサ６０が、再度、検知状態から非検知状態になると、ステップＳ１０４に戻り、非検知時間測定部８０は、再度、非検知時間ＮＴの測定を開始する。
【００５０】
非検知時間ＮＴが所定時間ＰＴを超えると（ステップＳ１０５：Ｙｅｓ）、制御部７０は、照明部４０を消灯させる（ステップＳ１０７）。
【００５１】
図５は、第１実施形態に係る洗面化粧台の動作の一例を表すタイミングチャートである。  
図５に表したように、センサ６０が検知状態になると、制御部７０は、照明部４０を点灯させる（タイミングｔ１０１）。この例では、制御部７０は、照明部４０を点灯させるとともに、吐水部２０からの吐水を開始させる。センサ６０が非検知状態になると、制御部７０は、吐水部２０からの吐水を停止させる（タイミングｔ１０２）。また、センサ６０が非検知状態になると、非検知時間測定部８０は、非検知時間ＮＴの測定（カウント）を開始する。非検知時間ＮＴが所定時間ＰＴを超えると、制御部７０は、照明部４０を消灯させる（タイミングｔ１０３）。
【００５２】
センサ６０が、再度、検知状態になると、制御部７０は、照明部４０を点灯させるとともに、吐水部２０からの吐水を開始させる（タイミングｔ１０４）。センサ６０が非検知状態になると、制御部７０は、吐水部２０からの吐水を停止させ、非検知時間測定部８０は、非検知時間ＮＴの測定（カウント）を開始する（タイミングｔ１０５）。
【００５３】
非検知時間ＮＴが所定時間ＰＴを超える前に、センサ６０が検知状態になると、制御部７０は、非検知時間ＮＴをリセットするとともに、吐水部２０からの吐水を開始させる（タイミングｔ１０６）。センサ６０が、再度、検知状態から非検知状態になると、制御部７０は、吐水部２０からの吐水を停止させ、非検知時間測定部８０は、再度、非検知時間ＮＴの測定を開始する（タイミングｔ１０７）。非検知時間ＮＴが所定時間ＰＴを超えると、制御部７０は、照明部４０を消灯させる（タイミングｔ１０８）。
【００５４】
このように、第１実施形態において、照明部４０は、センサ６０が非検知状態になっても、非検知時間ＮＴが所定時間ＰＴを超えるまで点灯し続ける。そして、センサ６０が検知状態になると、非検知時間ＮＴはリセットされる。これにより、例えば、洗濯行為中など、吐水部２０を頻繁に使用しない場合にも、洗面化粧台１００の使用中に照明が消えてしまうことを抑制でき、使い勝手がよい。また、使用者が手などの被検知物をボウル部１２２内に頻繁に出し入れする際に、吐水部２０からの吐水に合わせて、照明部４０が点灯及び消灯することを抑制できる。したがって、照明部４０の頻繁な点灯及び消灯によって使用者に不快感を与えることを抑制できる。
【００５５】
なお、この例では、非検知時間ＮＴのリセットは、センサ６０が検知状態になったとき（タイミングｔ１０６）に行われているが、非検知時間ＮＴをリセットするタイミングは、これに限定されない。非検知時間ＮＴのリセットは、例えば、センサ６０が非検知状態になったとき（タイミングｔ１０７）に行われてもよいし、センサ６０が検知状態になった後で非検知状態になる前に行われてもよい。すなわち、非検知時間ＮＴのリセットは、タイミングｔ１０６からタイミングｔ１０７までの間のどこかで行われればよい。
【００５６】
図６は、第１実施形態に係る洗面化粧台の動作の別の一例を表すフローチャートである。  
図６に表したように、センサ６０が検知状態になると（ステップＳ２０１）、制御部７０は、照明部４０を点灯させる（ステップＳ２０２）。センサ６０が検知状態から非検知状態になると（ステップＳ２０３）、非検知時間測定部８０は、非検知時間ＮＴの測定を開始する（ステップＳ２０４）。非検知時間ＮＴが所定時間ＰＴを超える前に、センサが検知状態になると（ステップＳ２０５：Ｎｏ）、制御部７０は、非検知時間ＮＴをリセットする（ステップＳ２０６）。図６のステップＳ２０１〜Ｓ２０６は、図４のステップＳ１０１〜Ｓ１０６と実質的に同じである。
【００５７】
非検知時間ＮＴが所定時間ＰＴを超えると（ステップＳ２０５：Ｙｅｓ）、制御部７０は、非検知時間ＮＴが所定時間ＰＴを超えるまでにセンサ６０が検知状態になった回数（検知回数）が１回以上かを判定する（ステップＳ２０７）。
【００５８】
検知回数が１回以上ではない（すなわち、０回である）と（ステップＳ２０７：Ｎｏ）、制御部７０は、照明部４０を消灯させる（ステップＳ２０８）。
【００５９】
検知回数が１回以上であると（ステップＳ２０７：Ｙｅｓ）、制御部７０は、検知回数が２回以上かを判定する（ステップＳ２０９）。検知回数が２回以上ではない（すなわち、１回である）と（ステップＳ２０９：Ｎｏ）、制御部７０は、所定時間ＰＴの後に、照明部４０を消灯するまでの第１延長時間ＥＴ１を付与する（ステップＳ２１０）。これにより、照明部４０の点灯時間は、第１延長時間ＥＴ１の分延長される。制御部７０は、例えば、第１延長時間ＥＴ１経過後に、照明部４０を消灯させる（ステップＳ２０８）。
【００６０】
検知回数が２回以上であると（ステップＳ２０９：Ｙｅｓ）、制御部７０は、検知回数が３回以上かを判定する（ステップＳ２１１）。検知回数が２回以上ではない（すなわち、１回である）と（ステップＳ２１１：Ｎｏ）、制御部７０は、所定時間ＰＴの後に、照明部４０を消灯するまでの第２延長時間ＥＴ２を付与する（ステップＳ２１２）。これにより、照明部４０の点灯時間は、第２延長時間ＥＴ２の分延長される。制御部７０は、例えば、第２延長時間ＥＴ２経過後に、照明部４０を消灯させる（ステップＳ２０８）。
【００６１】
検知回数が３回以上であると（ステップＳ２１１：Ｙｅｓ）、制御部７０は、所定時間ＰＴの後に、照明部４０を消灯するまでの第３延長時間ＥＴ３を付与する（ステップＳ２１３）。これにより、照明部４０の点灯時間は、第３延長時間ＥＴ３の分延長される。制御部７０は、例えば、第３延長時間ＥＴ３経過後に、照明部４０を消灯させる（ステップＳ２０８）。
【００６２】
このように、制御部７０は、非検知時間ＮＴが所定時間ＰＴを超えるまでにセンサ６０が検知状態になった回数（検知回数）に応じて、所定時間ＰＴの後に、照明部４０を消灯するまでの延長時間ＥＴ（例えば、第１〜第３延長時間ＥＴ１〜ＥＴ３）を付与する。
【００６３】
検知回数が多いほど、洗濯行為などが長時間行われている可能性が高い。そのため、検知回数に応じて、所定時間の後に、照明部４０を消灯するまでの延長時間ＥＴを付与することで、洗面化粧台１００の使用中に照明が消えてしまうことをより効果的に抑制でき、使い勝手がよい。
【００６４】
例えば、第２延長時間ＥＴ２は、第１延長時間ＥＴ１よりも長く、第３延長時間ＥＴ３は、第２延長時間ＥＴ２よりも長い。このように、例えば、検知回数が多いほど、延長時間ＥＴを長くすることできる。
【００６５】
一方で、検知回数に応じて延長時間ＥＴを無制限に長くするように構成すると、洗濯行為などが終わった後に無駄に照明部４０の点灯を継続することになる恐れがある。そこで、例えば、制御部７０は、検知回数が所定回数を超えると、延長時間ＥＴを所定の最長時間にする。例えば、この例では、延長時間ＥＴの所定の最長時間は、第３延長時間ＥＴ３である。これにより、検知回数が多くなっても、延長時間ＥＴが所定の最長時間よりも長くならないようにすることができ、洗濯行為などが終わった後に無駄に照明部４０の点灯を継続することを抑制できる。
【００６６】
なお、制御部７０は、第１〜第３延長時間ＥＴ１〜ＥＴ３の間にセンサ６０が検知状態にならなければ、照明部４０を消灯させ、第１〜第３延長時間ＥＴ１〜ＥＴ３の間にセンサ６０が検知状態になったら、センサ６０が非検知状態になった後、ステップＳ２０４に戻るような制御を行ってもよい。
【００６７】
図７は、第１実施形態に係る洗面化粧台の動作の別の一例を表すタイミングチャートである。  
図７に表したように、センサ６０が検知状態になると、制御部７０は、照明部４０を点灯させるとともに、吐水部２０からの吐水を開始させる（タイミングｔ２０１）。センサ６０が非検知状態になると、制御部７０は、吐水部２０からの吐水を停止させ、非検知時間測定部８０は、非検知時間ＮＴの測定（カウント）を開始する（タイミングｔ２０２）。
【００６８】
非検知時間ＮＴが所定時間ＰＴを超える前に、センサ６０が検知状態になると、制御部７０は、非検知時間ＮＴをリセットするとともに、吐水部２０からの吐水を開始させる（タイミングｔ２０３）。センサ６０が、再度、検知状態から非検知状態になると、制御部７０は、吐水部２０からの吐水を停止させ、非検知時間測定部８０は、再度、非検知時間ＮＴの測定を開始する（タイミングｔ２０４）。
【００６９】
非検知時間ＮＴが所定時間ＰＴを超える前に、再度、センサ６０が検知状態になると、制御部７０は、再度、非検知時間ＮＴをリセットするとともに、吐水部２０からの吐水を開始させる（タイミングｔ２０５）。そして、センサ６０が、再度、検知状態から非検知状態になると、制御部７０は、吐水部２０からの吐水を停止させ、非検知時間測定部８０は、再度、非検知時間ＮＴの測定を開始する（タイミングｔ２０６）。
【００７０】
非検知時間ＮＴが所定時間ＰＴを超えると、制御部７０は、非検知時間ＮＴが所定時間ＰＴを超えるまでにセンサ６０が検知状態になった回数（検知回数）に応じて、所定時間ＰＴの後に、照明部４０を消灯するまでの延長時間ＥＴを付与する（タイミングｔ２０７）。なお、検知回数は、非検知時間ＮＴをリセットした回数（リセット回数）と同じである。したがって、制御部７０は、リセット回数に応じた延長時間ＥＴを付与してもよい。この例では、照明部４０が点灯した直後の非検知状態から、非検知時間ＮＴが所定時間ＰＴを超えるまでにセンサ６０が検知状態になった回数は、２回である。したがって、制御部７０は、所定時間ＰＴの後に、第２延長時間ＥＴ２を付与する。制御部７０は、第２延長時間ＥＴ２経過後に、照明部４０を消灯させる（タイミングｔ２０８）。
【００７１】
図８は、第１実施形態に係る洗面化粧台の動作のさらに別の一例を表すフローチャートである。  
制御部７０は、検知状態と非検知状態とを判定するための第１閾値ＴＨ１と、検知信号の変化度を判定するための第２閾値ＴＨ２と、を有する。
【００７２】
図８に表したように、検知信号が第１閾値ＴＨ１未満のとき（ステップＳ３０１：Ｎｏ）、センサ６０は非検知状態である。検知信号が第１閾値ＴＨ１以上になると（ステップＳ３０１：Ｙｅｓ）、センサ６０は検知状態になり（ステップＳ３０２）、制御部７０は、照明部４０を点灯させる（ステップＳ３０３）。センサ６０が検知状態から非検知状態になると（ステップＳ３０４）、非検知時間測定部８０は、非検知時間ＮＴの測定を開始する（ステップＳ３０５）。図８のステップＳ３０２〜Ｓ３０５は、図４のステップＳ１０１〜Ｓ１０４と実質的に同じである。
【００７３】
非検知時間ＮＴが所定時間ＰＴを超える前に、検知信号の変化度が第２閾値ＴＨ２以上になると（ステップＳ３０６：Ｙｅｓ）、制御部７０は、非検知時間ＮＴをリセットする（ステップＳ３０７）。非検知時間ＮＴがリセットされ、検知信号の変化度が第２閾値ＴＨ２未満になると、ステップＳ３０５に戻り、非検知時間測定部８０は、再度、非検知時間ＮＴの測定を開始する。
【００７４】
非検知時間ＮＴが所定時間ＰＴを超える前に、検知信号の変化度が第２閾値ＴＨ２以上にならない場合でも、（ステップＳ３０６：Ｎｏ）、非検知時間ＮＴが所定時間ＰＴを超える前に、センサが検知状態になると（ステップＳ３０８：Ｎｏ）、制御部７０は、非検知時間ＮＴをリセットする（ステップＳ３０７）。
【００７５】
非検知時間ＮＴが所定時間ＰＴを超えると（ステップＳ３０８：Ｙｅｓ）、制御部７０は、照明部４０を消灯させる（ステップＳ３０９）。
【００７６】
このように、制御部７０は、非検知時間ＮＴが所定時間ＰＴを超える前に、センサ６０が検知状態になったときに加え、非検知時間ＮＴが所定時間ＰＴを超える前に、検知信号の変化度が第２閾値ＴＨ２以上になったときに、非検知時間ＮＴをリセットする。
【００７７】
例えば、検知信号が第１閾値ＴＨ１以上のとき、センサ６０は、吐水部２０（センサ６０）の近傍に使用者の手などの被検知物があることを検知し、検知状態になる。一方、例えば、吐水部２０から離れた位置で洗濯行為（もみ洗い）などをしている場合には、検知信号が小さく、第１閾値ＴＨ１以上になりにくいため、センサ６０が検知状態になりにくい。そのため、その状態で長時間作業をすると、センサ６０が検知状態にならないために非検知時間ＮＴがリセットされず、作業中にもかかわらず照明部４０が消灯されてしまう恐れがある。
【００７８】
これに対し、実施形態においては、例えば、センサ６０の検知信号が小さく、センサ６０が検知状態にならない状態であっても、検知信号の変化度が第２閾値ＴＨ２以上になると、非検知時間ＮＴをリセットする。これにより、例えば、もみ洗い動作中などの、センサ６０が検知状態になりにくい作業中であっても、照明が消えてしまうことを抑制でき、さらに使い勝手がよい。
【００７９】
図９は、第１実施形態に係る洗面化粧台の動作のさらに別の一例を表すタイミングチャートである。  
図９に表したように、検知信号が第１閾値ＴＨ１以上になると、センサ６０は、検知状態になり、制御部７０は、照明部４０を点灯させるとともに、吐水部２０からの吐水を開始させる（タイミングｔ３０１）。検知信号が第１閾値ＴＨ１未満になると、センサ６０は、非検知状態になり、制御部７０は、吐水部２０からの吐水を停止させ、非検知時間測定部８０は、非検知時間ＮＴの測定（カウント）を開始する（タイミングｔ３０２）。
【００８０】
センサ６０の非検知状態において、非検知時間ＮＴが所定時間ＰＴを超える前に、検知信号の変化度が第２閾値ＴＨ２以上になると、制御部７０は、非検知時間ＮＴをリセットする（タイミングｔ３０３）。このとき、検知信号が第１閾値ＴＨ１未満であると、センサ６０は検知状態にならないため、吐水部２０からの吐水は行われない。検知信号の変化度が第２閾値ＴＨ２未満になると、非検知時間測定部８０は、再度、非検知時間ＮＴの測定を開始する（タイミングｔ３０４）。
【００８１】
非検知時間ＮＴが所定時間ＰＴを超える前に、再度、検知信号の変化度が第２閾値ＴＨ２以上になると、制御部７０は、再度、非検知時間ＮＴをリセットする（タイミングｔ３０５）。このときも、検知信号は第１閾値ＴＨ１未満であり、センサ６０は検知状態にならないため、吐水部２０からの吐水は行われない。そして、検知信号の変化度が、再度、第２閾値ＴＨ２未満になると、非検知時間測定部８０は、再度、非検知時間ＮＴの測定を開始する（タイミングｔ３０６）。
【００８２】
非検知時間ＮＴが所定時間ＰＴを超えると、制御部７０は、照明部４０を消灯させる（タイミングｔ３０７）。
【００８３】
なお、図９には表していないが、図５に表したように、この例においても、非検知時間ＮＴが所定時間ＰＴを超える前に、検知信号が第１閾値ＴＨ１以上になると、センサ６０は検知状態になり、制御部７０は、非検知時間ＮＴをリセットする。また、例えば、検知信号の変化度が第２閾値ＴＨ２未満であっても、検知信号が第１閾値ＴＨ１以上になった場合には、制御部７０は、非検知時間ＮＴをリセットする。
【００８４】
また、この例では、照明部４０の点灯のための検知信号の閾値は、吐水部２０からの吐水のための検知信号の閾値と同じ値であるが、照明部４０の点灯のための検知信号の閾値は、吐水部２０からの吐水のための検知信号の閾値と異なる値であってもよい。なお、本願明細書において、「検知状態」とは、センサ６０からの検知信号が、照明部４０の点灯のための閾値（例えば、第１閾値ＴＨ１）を超えている状態を表す。
【００８５】
図１０は、第２実施形態に係る洗面化粧台の動作の一例を表すフローチャートである。  第２実施形態において、洗面化粧台１００は、非検知時間測定部８０の代わりに、検知時間ＤＴ及び非検知時間ＮＴを測定する検知時間測定部８５を有する。検知時間測定部８５は、センサ６０が検知状態になると検知時間ＤＴの測定を開始し、センサ６０が検知状態から非検知状態になると非検知時間ＮＴの測定を開始する。
【００８６】
図１０に表したように、センサ６０が検知状態になると（ステップＳ４０１）、検知時間測定部８５は、検知時間ＤＴの測定を開始し（ステップＳ４０２）、制御部７０は、吐水部２０からの吐水を開始させるとともに、照明部４０を点灯させる（ステップＳ４０３）。センサ６０が検知状態から非検知状態になると（ステップＳ４０４）、検知時間測定部８５は、非検知時間ＮＴの測定を開始し（ステップＳ４０５）、制御部７０は、吐水部２０からの吐水を停止させる（ステップＳ４０６）。
【００８７】
非検知時間ＮＴが所定時間ＰＴを超えると（ステップＳ４０７）、制御部７０は、検知時間ＤＴが第１時間Ｔ１を超えたか判定する（ステップＳ４０８）。検知時間ＤＴが第１時間Ｔ１を超えない場合（ステップＳ４０８：Ｎｏ）、制御部７０は、照明部４０を消灯させる（ステップＳ４０９）。
【００８８】
検知時間ＤＴが第１時間Ｔ１を超える場合（ステップＳ４０８：Ｙｅｓ）、制御部７０は、所定時間ＰＴの後に、照明部４０を消灯するまでの第４延長時間ＥＴ４を付与する（ステップＳ４１０）。これにより、照明部４０の点灯時間は、第４延長時間ＥＴ４の分延長される。制御部７０は、第４延長時間ＥＴ４経過後に、照明部４０を消灯させる（ステップＳ４０９）。
【００８９】
このように、実施形態において、制御部７０は、検知時間ＤＴの長さに応じて、センサ６０が検知状態から非検知状態になった後に照明部４０を消灯させるまでの時間の長さを変更する。より具体的には、例えば、制御部７０は、検知時間ＤＴの長さに応じて、所定時間ＰＴの後に、照明部４０を消灯するまでの延長時間ＥＴを付与する。例えば、検知時間ＤＴが長いほど、延長時間ＥＴを長くしてもよい。
【００９０】
なお、ステップＳ４０７とステップＳ４０８の順番は、逆でもよい。この場合、ステップＳ４０６の後、ステップＳ４０８の判定を行い、検知時間ＤＴが第１時間Ｔ１を超えない場合（ステップＳ４０８：Ｎｏ）、制御部７０は、所定時間ＰＴ経過後に（ステップＳ４０７）、照明部４０を消灯させる（ステップＳ４０９）。検知時間ＤＴが第１時間Ｔ１を超える場合（ステップＳ４０８：Ｙｅｓ）、制御部７０は、所定時間ＰＴ（ステップＳ４０７）及び第４延長時間ＥＴ４（ステップＳ４１０）経過後に、照明部４０を消灯させる（ステップＳ４０９）。
【００９１】
図１１は、第２実施形態に係る洗面化粧台の動作の一例を表すタイミングチャートである。  
図１１に表したように、センサ６０が検知状態になると、制御部７０は、照明部４０を点灯させるとともに、吐水部２０からの吐水を開始させ、検知時間測定部８５は、検知時間ＤＴの測定（カウント）を開始する（タイミングｔ４０１）。センサ６０が非検知状態になると、制御部７０は、吐水部２０からの吐水を停止させ、検知時間測定部８５は、検知時間ＤＴの測定（カウント）を終了し、非検知時間ＮＴの測定（カウント）を開始する（タイミングｔ４０２）。
【００９２】
非検知時間ＮＴが所定時間ＰＴを超えると、制御部７０は、検知時間ＤＴの長さに応じて、センサ６０が検知状態から非検知状態になった後に照明部４０を消灯させるまでの時間の長さを変更する（タイミングｔ４０３）。制御部７０は、例えば、検知時間ＤＴが第１時間Ｔ１を超えると、所定時間ＰＴの後に、照明部４０を消灯するまでの延長時間ＥＴを付与する。この場合は、タイミングｔ４０１からタイミングｔ４０２までの間の検知時間ＤＴが第１時間Ｔ１を超えていないため、制御部７０は、所定時間ＰＴの後に、延長時間ＥＴを付与しない。したがって、制御部７０は、非検知時間ＮＴが所定時間ＰＴを超えると、照明部４０を消灯させる。
【００９３】
センサ６０が、再度、検知状態になると、制御部７０は、照明部４０を点灯させるとともに、吐水部２０からの吐水を開始させ、検知時間測定部８５は、検知時間ＤＴの測定（カウント）を開始する（タイミングｔ４０４）。センサ６０が非検知状態になると、制御部７０は、吐水部２０からの吐水を停止させ、検知時間測定部８５は、検知時間ＤＴの測定（カウント）を終了し、非検知時間ＮＴの測定（カウント）を開始する（タイミングｔ４０５）。
【００９４】
非検知時間ＮＴが所定時間ＰＴを超えると、制御部７０は、検知時間ＤＴの長さに応じて、センサ６０が検知状態から非検知状態になった後に照明部４０を消灯させるまでの時間の長さを変更する（タイミングｔ４０６）。この場合は、タイミングｔ４０４からタイミングｔ４０５までの間の検知時間ＤＴが第１時間Ｔ１を超えているため、制御部７０は、所定時間ＰＴの後に、第４延長時間ＥＴ４を付与する。したがって、制御部７０は、非検知時間ＮＴが所定時間ＰＴを超えると、第４延長時間ＥＴ４経過後に、照明部４０を消灯させる（タイミングｔ４０７）。
【００９５】
このように、第２実施形態において、照明部４０は、センサ６０が非検知状態になっても、非検知時間ＮＴが所定時間ＰＴを超えるまで点灯し続ける。そして、検知時間ＤＴの長さに応じて、センサ６０が検知状態から非検知状態になった後に照明部４０を消灯させるまでの時間の長さを変更する。これにより、例えば、洗濯行為中など、吐水部２０を頻繁に使用しない場合にも、洗面化粧台１００の使用中に照明が消えてしまうことを抑制でき、使い勝手がよい。また、使用者が手などの被検知物をボウル部１２２内に頻繁に出し入れする際に、吐水部２０からの吐水に合わせて、照明部４０が点灯及び消灯することを抑制できる。したがって、照明部４０の頻繁な点灯及び消灯によって使用者に不快感を与えることを抑制できる。
【００９６】
また、第２実施形態において、図８及び図９に表したように、制御部７０は、検知信号が第１閾値ＴＨ１以上になると、照明部４０を点灯させ、非検知時間ＮＴが所定時間ＰＴを超えると、照明部４０を消灯させ、非検知時間ＮＴが所定時間ＰＴを超える前に、変化度が第２閾値ＴＨ２以上になると、非検知時間ＮＴをリセットしてもよい。
【００９７】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、洗面化粧台１００などが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００９８】
１０ 水栓装置、  ２０ 吐水部、  ２２ 吐水口、  ３０ 本体部、  ４０ 照明部、  ５０ 操作部、  ５０ａ 操作レバー、  ６０ センサ、  ７０ 制御部、  ８０ 非検知時間測定部、  ８５ 検知時間測定部、  ９０ 変化度演算部、  １００ 洗面化粧台、  １０２ 洗面器、  １０６ 支持台、  １０６ａ 本体部、  １０６ｂ、１０６ｃ 引き出し、  １０８ ミラーキャビネット、  １１０ 照明装置、  １２２ ボウル部、  １２４ バックガード部、  １３０ キャビネット本体、  １３１〜１３３ 扉、  １３１ａ〜１３３ａ 鏡、  ＤＴ 検知時間、  ＥＴ 延長時間、  ＥＴ１〜ＥＴ４ 第１〜第４延長時間、  ＮＴ 非検知時間、  ＰＴ 所定時間、  Ｓ１０１〜Ｓ１０７、Ｓ２０１〜Ｓ２１３、Ｓ３０１〜Ｓ３０９、Ｓ４０１〜Ｓ４１０ ステップ、  ｔ１０１〜ｔ１０８、ｔ２０１〜ｔ２０８、ｔ３０１〜ｔ３０７、ｔ４０１〜ｔ４０７ タイミング、  Ｔ１ 第１時間、  ＴＨ１、ＴＨ２ 第１、第２閾値、  ＷＳ 壁面
【図１】
2020007825.tif 000003
【図２】
2020007825.tif 000004
【図３】
2020007825.tif 000005
【図４】
2020007825.tif 000006
【図５】
2020007825.tif 000007
【図６】
2020007825.tif 000008
【図７】
2020007825.tif 000009
【図８】
2020007825.tif 000010
【図９】
2020007825.tif 000011
【図１０】
2020007825.tif 000012
【図１１】
2020007825.tif 000013